(57)【要約】【課題】消費電力を低く抑えることの可能な表示装置およびその駆動方法ならびに電子機器を提供する。【解決手段】表示パネル１０は、有機ＥＬ素子１１（１１Ｒ，１１Ｇ，１１Ｂ）および画素回路１３を含む複数の表示画素１５が２次元配置された表示領域１０Ａと、有機ＥＬ素子１２を含む１つの調整用画素１７が配置された非表示領域１０Ｂを有する。電源電圧調整回路２７は、初期に設定した電源電圧Ｖcc（０）（＝Ｖel（０）＋Ｖds（０））に対して、有機ＥＬ素子１２を白輝度（最高階調）で発光させるのに必要な大きさの定電流が有機ＥＬ素子１２に印加されているときに得られた電圧変動量ΔＶを加えた値（Ｖcc（０）＋ΔＶ）を、最新の電源電圧Ｖccの値として設定する。電源線駆動回路２５は、複数の電源線ＰＳＬに、電源電圧調整回路２７で設定された電源電圧Ｖccを順次印加する。【選択図】図１
2011118300.tif 000002
【特許請求の範囲】
【請求項１】
第１発光素子を含む複数の表示画素が２次元配置された表示領域と、第２発光素子を含む１または複数の調整用画素が配置された非表示領域とを有する表示部と、
映像信号に基づいて各表示画素を駆動すると共に、前記第２発光素子に定電流を印加する駆動部と
を備え、
前記駆動部は、前記第２発光素子の電圧変動に応じた値の電源電圧を各表示画素に印加する
表示装置。
【請求項２】
前記駆動部は、前記第２発光素子の電圧と、基準電圧とを対比することにより、前記第２発光素子の電圧変動量を導出し、前記電圧変動量に応じた値の電源電圧を、各表示画素に印加する
請求項１に記載の表示装置。
【請求項３】
前記駆動部は、前記第２発光素子が白輝度で発光する大きさの定電流を前記第２発光素子に印加する
請求項２に記載の表示装置。
【請求項４】
前記駆動部は、前記第２発光素子の発光期間が前記複数の表示画素のうちの一の表示画素である指定画素に含まれる第１発光素子の発光期間と同一となるように前記第２発光素子に定電流を断続的に印加する
請求項１ないし請求項３のいずれか一項に記載の表示装置。
【請求項５】
各調整用画素は、前記第２発光素子に直列に接続されたスイッチング素子を有し、
前記駆動部は、前記第２発光素子の発光期間が前記指定画素に含まれる第１発光素子の発光期間と同一となるように前記スイッチング素子をオンオフさせる
請求項４に記載の表示装置。
【請求項６】
各表示画素は、前記第１発光素子に流れる電流を制御する第１トランジスタと、前記映像信号に応じた信号電圧を前記第１トランジスタのゲートに書き込む第２トランジスタとを有し、
各調整用画素は、前記第２発光素子に流れる電流を制御する第３トランジスタと、固定信号に応じた信号電圧を前記第３トランジスタのゲートに書き込む第４トランジスタとを有し、
前記駆動部は、前記第２発光素子の発光期間が前記指定画素に含まれる第１発光素子の発光期間と同一となるように、前記指定画素および各調整用画素において、前記第１トランジスタおよび前記第３トランジスタを同一のタイミングでオンオフさせると共に前記第２トランジスタおよび前記第４トランジスタを同一のタイミングでオンオフさせる
請求項４に記載の表示装置。
【請求項７】
前記駆動部は、前記指定画素および各調整用画素において、前記第１トランジスタおよび前記第３トランジスタに同一の第１制御パルスを印加すると共に前記第２トランジスタおよび前記第４トランジスタに同一の第２制御パルスを印加する
請求項６に記載の表示装置。
【請求項８】
各表示画素は、前記第１発光素子に流れる電流を制御する第１トランジスタと、前記映像信号に応じた信号電圧を前記第１トランジスタのゲートに書き込む第２トランジスタとを有し、
前記第１トランジスタのソースおよびドレインのいずれか一方は前記第１発光素子に接続され、
前記第１トランジスタのソースおよびドレインのうち前記第１発光素子に非接続の方は前記電源電圧が供給される部材に接続されている
請求項１に記載の表示装置。
【請求項９】
第１発光素子を含む複数の表示画素が２次元配置された表示領域と、第２発光素子を含む１または複数の調整用画素が配置された非表示領域とを有する表示部と、映像信号に基づいて各表示画素を駆動すると共に、前記第２発光素子に定電流を印加する駆動部とを備えた表示装置において、第２発光素子の電圧変動に応じた値の電源電圧を各表示画素に印加するステップを含む
表示装置の駆動方法。
【請求項１０】
表示装置を備え、
前記表示装置は、
第１発光素子を含む複数の表示画素が２次元配置された表示領域と、第２発光素子を含む１または複数の調整用画素が配置された非表示領域とを有する表示部と、
映像信号に基づいて各表示画素を駆動すると共に、前記第２発光素子に定電流を印加する駆動部と
を有し、
前記駆動部は、前記第２発光素子の電圧変動に応じた値の電源電圧を各表示画素に印加する
電子機器。
【発明の詳細な説明】
【技術分野】
【０００１】
本発明は、表示パネルに発光素子が設けられた表示装置およびその駆動方法に関する。また、本発明は、上記表示装置を備えた電子機器に関する。
【背景技術】
【０００２】
近年、画像表示を行う表示装置の分野では、画素の発光素子として、流れる電流値に応じて発光輝度が変化する電流駆動型の光学素子、例えば有機ＥＬ(electro luminescence)素子を用いた表示装置が開発され、商品化が進められている。有機ＥＬ素子は、液晶素子などと異なり自発光素子である。そのため、有機ＥＬ素子を用いた表示装置（有機ＥＬ表示装置）では、光源（バックライト）が必要ないので、光源を必要とする液晶表示装置と比べて、薄型化、高輝度化することができる。特に、駆動方式としてアクティブマトリクス方式を用いた場合には、各画素をホールド点灯させることができ、低消費電力化することもできる。そのため、有機ＥＬ表示装置は、次世代のフラットパネルディスプレイの主流になると期待されている。
【０００３】
有機ＥＬ素子は、電流駆動型の発光素子であり、有機ＥＬ素子に流れる電流量を制御することにより階調を調整することの可能な素子である。しかし、有機ＥＬ素子は、通電時間や素子温度に応じてＩ−Ｖ特性が変化する性質を有している。そのため、Ｉ−Ｖ特性が経時的に変化した場合であっても一定の輝度を得ることができるようにするために、有機ＥＬ素子に流れる電流量を制御する駆動トランジスタは常に飽和領域で駆動される（特許文献１参照）。
【先行技術文献】
【特許文献】
【０００４】
【特許文献１】特開２００１−６００７６号公報
【発明の概要】
【発明が解決しようとする課題】
【０００５】
ところで、有機ＥＬ素子のＩ−Ｖ特性が経時的に変動する状況下で、駆動トランジスタを常に飽和領域で駆動させるためには、電源電圧を、有機ＥＬ素子のＩ−Ｖ特性が変動したときに駆動トランジスタが線形駆動とはならない程度に十分に高い値に設定しておくことが必要となる。例えば、有機ＥＬ素子のＩ−Ｖ特性の変動によって有機ＥＬ素子の端子間電圧が２Ｖ程度大きくなることが予想される場合には、あらかじめ、電源電圧を、２Ｖ程度の余裕を持った電圧値に設定することが考えられる。しかし、電源電圧のマージンを予測に基づいて設定した場合には、電源電圧が、駆動トランジスタを常に飽和領域で駆動させるのに必要な最低限の電圧よりも大きくなり易く、余分に見積もった電圧の分だけ消費電力が高くなってしまうという問題があった。
【０００６】
本発明はかかる問題点に鑑みてなされたものであり、その目的は、消費電力を低く抑えることの可能な表示装置およびその駆動方法ならびに電子機器を提供することにある。
【課題を解決するための手段】
【０００７】
本発明による表示装置は、第１発光素子を含む複数の表示画素が２次元配置された表示領域と、第２発光素子を含む１または複数の調整用画素が配置された非表示領域とを有する表示部を備えたものである。この表示装置は、さらに、映像信号に基づいて各表示画素を駆動すると共に、第２発光素子に定電流を印加する駆動部を備えている。ここで、駆動部は、第２発光素子の電圧変動に応じた値の電源電圧を各表示画素に印加するようになっている。
【０００８】
本発明による電子機器は、上記表示装置を備えたものである。
【０００９】
本発明による表示装置の駆動方法は、第１発光素子を含む複数の表示画素が２次元配置された表示領域と、第２発光素子を含む１または複数の調整用画素が配置された非表示領域とを有する表示部と、映像信号に基づいて各表示画素を駆動すると共に、第２発光素子に定電流を印加する駆動部とを備えた表示装置において、以下のステップを含むものである。
（１）第２発光素子の電圧変動に応じた値の電源電圧を各表示画素に印加するステップ
【００１０】
本発明による表示装置およびその駆動方法ならびに電子機器では、調整用画素に含まれる第２発光素子に定電流が印加され、第２発光素子の電圧変動に応じた値の電源電圧が各表示画素に印加される。これにより、電源電圧のマージンを予測に基づいて設定した場合と比べて、定電流を流すのに要する電源電圧の値を小さく設定することができる。
【発明の効果】
【００１１】
本発明による表示装置およびその駆動方法ならびに電子機器によれば、電源電圧のマージンを予測に基づいて設定した場合と比べて、定電流を流すのに要する電源電圧の値を小さく設定することができるようにした。これにより、消費電力を低く抑えることができる。
【図面の簡単な説明】
【００１２】
【図１】本発明による第１の実施の形態に係る表示装置の構成の一例を表す概略図である。
【図２】表示領域内のサブピクセルの構成の一例を表す概略図である。
【図３】非表示領域内の調整用画素の構成の一例を表す概略図である。
【図４】図１の表示パネルの構成の一例を表す上面図である。
【図５】電源線駆動回路の構成の一例を表す概略図である。
【図６】電源電圧調整回路の構成の一例を表す概略図である。
【図７】駆動トランジスタの飽和領域と、階調との関係の一例を表す関係図である。
【図８】電源電圧と、有機ＥＬ素子の電圧および駆動トランジスタのドレイン−ソース間電圧との関係の一例を表す関係図である。
【図９】パネル温度と有機ＥＬ素子の電圧との関係の一例を表す関係図である。
【図１０】有機ＥＬ素子の通電時間と、有機ＥＬ素子の電圧変動量との関係の一例を表す関係図である。
【図１１】図１の表示装置の構成の他の例を表す概略図である。
【図１２】図１１の非表示領域内のサブピクセルの構成の一例を表す概略図である。
【図１３】本発明による第２の実施の形態に係る表示装置の構成の一例を表す概略図である。
【図１４】図１３の非表示領域内のサブピクセルの構成の一例を表す概略図である。
【図１５】表示画素と調整用画素とが共通のＷＳＬおよびＰＳＬに接続されている様子を模式的に表す概略図である。
【図１６】表示領域内のサブピクセルの構成の他の例を表す概略図である。
【図１７】非表示領域内の調整用画素の構成の他の例を表す概略図である。
【図１８】上記各実施の形態の発光装置の適用例１の外観を表す斜視図である。
【図１９】（Ａ）は適用例２の表側から見た外観を表す斜視図であり、（Ｂ）は裏側から見た外観を表す斜視図である。
【図２０】適用例３の外観を表す斜視図である。
【図２１】適用例４の外観を表す斜視図である。
【図２２】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１３】
以下、発明を実施するための形態について、図面を参照して詳細に説明する。なお、説明は以下の順序で行う。
１．第１の実施の形態(図１〜図１０)
２．第１の実施の形態の変形例(図１１〜図１２)
３．第２の実施の形態(図１３〜図１５)
４．第２の実施の形態の変形例(図１６、図１７)
５．第１および第２の実施の形態に共通する変形例(図なし)
６．適用例(図１８〜図２２)
【００１４】
＜第１の実施の形態＞
（表示装置１の概略構成）
図１は、本発明の第１の実施の形態に係る表示装置１の概略構成を表したものである。この表示装置１は、表示パネル１０（表示部）と、表示パネル１０を駆動する駆動回路２０（駆動部）とを備えている。
【００１５】
表示パネル１０は、複数の有機ＥＬ素子１１Ｒ，１１Ｇ，１１Ｂ（第１発光素子）が２次元配置された表示領域１０Ａを有している。なお、以下では、有機ＥＬ素子１１Ｒ，１１Ｇ，１１Ｂの総称として有機ＥＬ素子１１を適宜、用いるものとする。表示パネル１０は、また、有機ＥＬ素子１２（第２発光素子）が配置された非表示領域１０Ｂを有している。有機ＥＬ素子１２は、有機ＥＬ素子１１Ｒ，１１Ｇ，１１Ｂのいずれか１つと同一の発光色で発光する有機ＥＬ素子、または、有機ＥＬ素子１１Ｒ，１１Ｇ，１１Ｂの発光色とは異なる発光色で発光する有機ＥＬ素子（例えば、白色光を発光する有機ＥＬ素子）である。
【００１６】
駆動回路２０は、タイミング生成回路２１、映像信号処理回路２２、信号線駆動回路２３、書込線駆動回路２４、電源線駆動回路２５、調整用画素駆動回路２６および電源電圧調整回路２７を有している。
【００１７】
（表示画素１５）
図２は、表示領域１０Ａ内の回路構成の一例を表したものである。表示領域１０Ａ内には、複数の画素回路１３が個々の有機ＥＬ素子１１と対となって２次元配置されている。なお、本実施の形態では、一対の有機ＥＬ素子１１および画素回路１３が１つのサブピクセル１４を構成している。より詳細には、図１に示したように、一対の有機ＥＬ素子１１Ｒおよび画素回路１３が１つのサブピクセル１４Ｒを構成し、一対の有機ＥＬ素子１１Ｇおよび画素回路１３が１つのサブピクセル１４Ｇを構成し、一対の有機ＥＬ素子１１Ｂおよび画素回路１３が１つのサブピクセル１４Ｂを構成している。さらに、互いに隣り合う３つのサブピクセル１４Ｒ，１４Ｇ，１４Ｂが１つの画素（表示画素１５）を構成している。
【００１８】
各画素回路１３は、例えば、駆動トランジスタＴｒ1（第１トランジスタ）、書き込みトランジスタＴｒ2（第２トランジスタ）および保持容量Ｃs1によって構成されたものであり、２Ｔｒ１Ｃの回路構成となっている。駆動トランジスタＴｒ1および書き込みトランジスタＴｒ2は、例えば、ｎチャネルＭＯＳ型の薄膜トランジスタ（ＴＦＴ（Thin Film Transistor））により形成されている。駆動トランジスタＴｒ1または書き込みトランジスタＴｒ2は、例えば、ｐチャネルＭＯＳ型のＴＦＴであってもよい。
【００１９】
表示領域１０Ａにおいて、列方向には信号線ＤＴＬが複数配置され、行方向には書込線ＷＳＬおよび電源線ＰＳＬ（電源電圧の供給される部材）がそれぞれ複数配置されている。各信号線ＤＴＬと各書込線ＷＳＬとの交差点近傍には、有機ＥＬ素子１１が１つずつ設けられている。各信号線ＤＴＬは、信号線駆動回路２３の出力端（図示せず）と、書き込みトランジスタＴｒ2のドレイン電極およびソース電極のいずれか一方（図示せず）に接続されている。各書込線ＷＳＬは、書込線駆動回路２４の出力端（図示せず）と、書き込みトランジスタＴｒ2のゲート電極（図示せず）に接続されている。各電源線ＰＳＬは、電源線駆動回路２５の出力端（図示せず）と、駆動トランジスタＴｒ1のドレイン電極およびソース電極のいずれか一方（図示せず）に接続されている。書き込みトランジスタＴｒ2のドレイン電極およびソース電極のうち信号線ＤＴＬに非接続の方（図示せず）は、駆動トランジスタＴｒ1のゲート電極（図示せず）と、保持容量Ｃs1の一端に接続されている。駆動トランジスタＴｒ1のドレイン電極およびソース電極のうち電源線ＰＳＬに非接続の方（図示せず）と保持容量Ｃs1の他端とが、有機ＥＬ素子１１のアノード電極（図示せず）に接続されている。有機ＥＬ素子１１のカソード電極（図示せず）は、例えば、グラウンド線ＧＮＤに接続されている。
【００２０】
（調整用画素１７）
図３は、非表示領域１０Ｂ内の回路構成の一例を表したものである。非表示領域１０Ｂ内には、調整用画素１７が設けられている。この調整用画素１７は、例えば、図３に示したように、１つの有機ＥＬ素子１２を含んで構成されている。有機ＥＬ素子１２のアノード電極（図示せず）は、電流信号線ＣＳＬおよびアノード信号線ＡＳＬのそれぞれの一端に接続されている。有機ＥＬ素子１２のカソード電極（図示せず）は、例えば、グラウンド線ＧＮＤに接続されている。
【００２１】
（表示パネル１０の上面構成）
図４は、表示パネル１０の上面構成の一例を表したものである。表示パネル１０は、例えば、駆動パネル３０と封止パネル４０とが封止層（図示せず）を介して貼り合わされた構造となっている。
【００２２】
駆動パネル３０は、図４には示していないが、表示領域１０Ａに、２次元配置された複数の有機ＥＬ素子１１と、各有機ＥＬ素子１１に隣接して配置された複数の画素回路１３とを有している。駆動パネル３０は、また、図４には示していないが、非表示領域１０Ｂに、１つの有機ＥＬ素子１２を有している。
【００２３】
駆動パネル３０の一辺（長辺）には、例えば、図４に示したように、複数の映像信号供給ＴＡＢ５１と、信号入出力ＴＣＰ５４が取り付けられている。駆動パネル３０の他の辺（短辺）には、例えば、走査信号供給ＴＡＢ５２が取り付けられている。また、駆動パネル３０の短辺であって、かつ走査信号供給ＴＡＢ５２とは異なる辺には、例えば、電源電圧供給ＴＡＢ５３が取り付けられている。映像信号供給ＴＡＢ５１は、信号線駆動回路２３の集積されたＩＣをフィルム状の配線基板の開口に中空配線したものである。走査信号供給ＴＡＢ５２は、書込線駆動回路２４の集積されたＩＣをフィルム状の配線基板の開口に中空配線したものである。電源電圧供給ＴＡＢ５３は、電源線駆動回路２５の集積されたＩＣをフィルム状の配線基板の開口に中空配線したものである。電源電圧供給ＴＡＢ５３は、電源電圧調整回路２７の出力端（図示せず）に接続されている。信号入出力ＴＣＰ５４は、電源電圧調整回路２７の入力端（図示せず）に接続されている。なお、信号線駆動回路２３、書込線駆動回路２４および電源線駆動回路２５は、ＴＡＢに形成されていなくてもよく、例えば、駆動パネル３０に形成されていてもよい。
【００２４】
封止パネル４０は、例えば、有機ＥＬ素子１１，１２を封止する封止基板（図示せず）と、カラーフィルタ（図示せず）とを有している。カラーフィルタは、例えば、封止基板の表面のうち有機ＥＬ素子１１の光が通過する領域に設けられている。カラーフィルタは、例えば、有機ＥＬ素子１１Ｒ，１１Ｇ，１１Ｂのそれぞれに対応して、赤色用のフィルタ、緑色用のフィルタおよび青色用のフィルタ（図示せず）を有している。
【００２５】
（駆動回路２０）
次に、駆動回路２０内の各回路について、図１を参照して説明する。タイミング生成回路２１は、映像信号処理回路２２、信号線駆動回路２３、書込線駆動回路２４、電源線駆動回路２５、調整用画素駆動回路２６および電源電圧調整回路２７が連動して動作するように制御するものである。
【００２６】
タイミング生成回路２１は、例えば、外部から入力された同期信号２０Ｂに応じて（同期して）、上述した各回路に対して制御信号２１Ａを出力するようになっている。タイミング生成回路２１は、例えば、映像信号処理回路２２および電源電圧調整回路２７などと共に、例えば、表示パネル１０とは別体の制御回路基板（図示せず）上に形成されている。
【００２７】
映像信号処理回路２２は、例えば、外部から入力された同期信号２０Ｂに応じて（同期して）、外部から入力されたデジタルの映像信号２０Ａを補正すると共に、補正した後の映像信号をアナログに変換して、アナログの映像信号２２Ａとして信号線駆動回路２３に出力するものである。
【００２８】
信号線駆動回路２３は、映像信号処理回路２２から入力されたアナログの映像信号２２Ａを、制御信号２１Ａの入力に応じて（同期して）各信号線ＤＴＬに出力し、これにより、各表示画素１５を駆動するものである。つまり、信号線駆動回路２３は、アナログの映像信号２２Ａ（信号電圧）を、各表示画素１５内の駆動トランジスタＴｒ1のゲートに書き込むようになっている。信号線駆動回路２３は、表示画素１５に対応する信号線ＤＴＬに対して、映像信号処理回路２２で補正処理のなされた映像信号２２Ａを出力するようになっている。信号線駆動回路２３は、例えば、図４に示したように、駆動パネル３０の一辺（長辺）に取り付けられた映像信号供給ＴＡＢ５１に設けられている。
【００２９】
書込線駆動回路２４は、制御信号２１Ａの入力に応じて（同期して）、複数の書込線ＷＳＬの中から一の書込線ＷＳＬを順次選択するものである。書込線駆動回路２４は、例えば、図４に示したように、駆動パネル３０の他の辺（短辺）に取り付けられた走査信号供給ＴＡＢ５２に設けられている。
【００３０】
電源線駆動回路２５は、制御信号２１Ａの入力に応じて（同期して）、複数の電源線ＰＳＬに、電源電圧調整回路２７から出力された電源電圧Ｖccの値に応じた値の電源電圧を順次印加して、有機ＥＬ素子１１の発光および消光を制御するものである。
【００３１】
電源線駆動回路２５は、例えば、図５に示したように、個々の電源線ＰＳＬごとに設けられた電源電圧伝播線ＰＤＬと、グラウンド線ＧＮＤとの間に、互いに直列に接続されたスイッチング用のトランジスタＴｒ3，Ｔｒ4を有している。トランジスタＴｒ3とトランジスタＴｒ4との接続点に電源線ＰＳＬが接続されており、トランジスタＴｒ3，Ｔｒ4の双方のゲートが制御線ＣＮＬ1に接続されている。制御線ＣＮＬ1には、電源電圧Ｖccを所望の期間だけ電源線ＰＳＬに印加するための制御信号が入力される。
【００３２】
調整用画素駆動回路２６は、有機ＥＬ素子１２に一定の電流値の電流（定電流）を出力する電流源（図示せず）を有している。調整用画素駆動回路２６は、例えば、有機ＥＬ素子１２を白輝度（例えば最高階調）で発光させるのに必要な大きさの定電流を有機ＥＬ素子１２に印加するようになっている。調整用画素駆動回路２６（電源線）の出力端は、電流信号線ＣＳＬに接続されている。調整用画素駆動回路２６は、一定の電流値の電流（定電流）を、制御信号２１Ａの入力に応じて（同期して）電流信号線ＣＳＬに出力し、これにより、調整用画素１７を駆動するものである。
【００３３】
電源電圧調整回路２７は、制御信号２１Ａの入力に応じて（同期して）、調整用画素１７に含まれる有機ＥＬ素子１２の電圧変動に応じた値の電源電圧を発生させるものである。電源電圧調整回路２７は、例えば、図６に示したように、ＡＤＣ（Analog Digital Converter）３１と、記憶部３２と、比較部３３と、電圧発生部３４とを有している。ＡＤＣ３１の入力端（図示せず）は、図３、図６に示したように、アノード信号線ＡＳＬに接続されており、ＡＤＣ３１の出力端（図示せず）および記憶部３２の出力端（図示せず）が比較部３３の入力端（図示せず）に接続されている。比較部３３の出力端（図示せず）は電圧発生部３４の入力端（図示せず）に接続されており、電圧発生部３４の出力端（図示せず）が電源電圧伝播線ＰＤＬに接続されている。
【００３４】
ＡＤＣ３１は、入力されたアナログ信号（アノードの電圧Ｖel）をデジタル信号に変換するものである。記憶部３２は、有機ＥＬ素子１２の初期電圧Ｖini（＝Ｖel（０））（基準電圧）を記憶している。比較部３３は、ＡＤＣ３１から入力されたデジタル信号（アノードの電圧Ｖel）と、記憶部３２から読み出した初期電圧Ｖiniとを対比することにより、調整用画素１７に含まれる有機ＥＬ素子１２の電圧変動量ΔＶを導出するようになっている。具体的には、比較部３３は、アノードの電圧Ｖelと初期電圧Ｖiniとの差分を取ることにより、アノードの電圧Ｖelの電圧変動量ΔＶ（＝Ｖel−Ｖini）を導出するようになっている。
【００３５】
電圧発生部３４は、電圧変動量ΔＶを用いて各表示画素１５に印加する電源電圧値を導出し、導出した電源電圧値の電源電圧Ｖccを、各表示画素１５（各電源電圧伝播線ＰＤＬ）に印加するようになっている。具体的には、電圧発生部３４は、電圧変動量ΔＶを用いて、駆動トランジスタＴｒ1を飽和領域で駆動させるのに必要な電源電圧値を導出し、導出した電源電圧値の電源電圧Ｖccを、各表示画素１５（各電源電圧伝播線ＰＤＬ）に印加するようになっている。電源電圧Ｖccの値は、駆動トランジスタＴｒ1を飽和領域で駆動させるのに必要な最低限の電圧値であることが好ましい。つまり、電圧発生部３４は、ＡＤＣ３１でモニターされた発光時の電圧値の変動に応じた値の電源電圧を各表示画素１５に印加するようになっている。
【００３６】
ここで、飽和領域とは、例えば、図７に示したように、有機ＥＬ素子１１に流れる電流Ｉdsが駆動トランジスタＴｒ1のドレイン−ソース間電圧Ｖdsの値に依らず一定となっている領域を指している。なお、飽和領域において、電流Ｉdsが駆動トランジスタＴｒ1のドレイン−ソース間電圧Ｖdsの値に依らず完全に一定となっている必要はない。飽和領域は、電流Ｉdsが駆動トランジスタＴｒ1のドレイン−ソース間電圧Ｖdsの値に依って大きく変動する線形領域と比べて電流Ｉdsの変化率が緩やかな領域も含んでいる。
【００３７】
（表示装置１の動作）
次に、本実施の形態の表示装置１の動作の一例について説明する。まず、表示装置１に対して外部から映像信号２０Ａおよび同期信号２０Ｂが入力される。すると、タイミング生成回路２１から駆動回路２０内の各回路に対して制御信号２１Ａが出力され、その制御信号２１Ａの指示に従って、駆動回路２０内の各回路が動作する。具体的には、映像信号処理回路２２において映像信号２２Ａが生成され、生成された映像信号２２Ａが信号線駆動回路２３によって各信号線ＤＴＬに出力されると同時に、書込線駆動回路２４によって複数の書込線ＷＳＬの中から一の書込線ＷＳＬが順次選択される。さらに、調整用画素駆動回路２６において定電流が電流信号線ＣＳＬに出力され、出力された定電流が調整用画素１７に含まれる有機ＥＬ素子１２に流れる。有機ＥＬ素子１２の電圧変動に応じた値の電源電圧が電源電圧調整回路２７から電源電圧伝播線ＰＤＬに出力され、電源電圧伝播線ＰＤＬに出力された電源電圧が電源線駆動回路２５によって複数の電源線ＰＳＬに順次印加される。これにより、各表示画素１５および調整用画素１７が駆動され、表示領域１０Ａに映像が表示される。
【００３８】
（表示装置１の効果）
次に、本実施の形態の表示装置１の効果について説明する。図７に示したように、飽和領域の下端は、階調ごとに異なっており、階調が低くなる程、飽和領域の下端が、駆動トランジスタＴｒ1のドレイン−ソース間電圧Ｖdsが小さくなる方へ変位する。そのため、有機ＥＬ素子１１の初期のＩ−Ｖ特性が図中の曲線Ａとなっていたとすると、階調が高くなる程、動作点（黒丸）が飽和領域の下端に近づく傾向となっており、階調が高くなる程、動作点（黒丸）と飽和領域の下端とのマージンが小さくなる傾向となっている。従って、有機ＥＬ素子１１のＩ−Ｖ特性が変位したときに、変位した後のＩ−Ｖ特性が図中の曲線Ｂとなったとすると、中間階調や低階調においては動作点がまだ飽和領域に入っているが、高階調において動作点が線形領域に入る。
【００３９】
このとき、仮に、全ての階調において動作点が線形領域に入るように、電源電圧Ｖccの値が予測に基づいて（余裕をもって）設定されたとする。このとき、各表示画素１５に印加される映像信号２２Ａ（１フィールドの映像信号）に高階調に対応する値が含まれている場合（例えば、図８（Ａ）参照）であっても、余裕をもって、全ての表示画素１５において駆動トランジスタＴｒ1を飽和領域で駆動させることが可能となる。しかし、この場合には、電源電圧Ｖccが、駆動トランジスタＴｒ1を常に飽和領域で駆動させるのに必要な最低限の電源電圧よりも大きくなってしまう。特に、中間階調や低階調においては、設定した電源電圧Ｖccと、駆動トランジスタＴｒ1を常に飽和領域で駆動させるのに必要な最低限の電源電圧との差が大きくなってしまう。従って、余分に見積もった電圧の分だけ消費電力が高くなってしまう。
【００４０】
一方、本実施の形態では、各表示画素１５に含まれる駆動トランジスタＴｒ1において、動作点が常に飽和領域内となるのに必要な電源電圧Ｖccの値（または、動作点が常に飽和領域内となるのに必要な最低限の電源電圧Ｖccの値）が設定される。例えば、白輝度（最高階調）に対応する映像信号が一の表示画素１５に印加されたときに、その表示画素１５内の駆動トランジスタＴｒ1において、動作点が飽和領域の下端（Ｖds＝Ｖgs−Ｖth）となるように電源電圧Ｖccの値が設定される。例えば、初期に設定した電源電圧Ｖcc（０）（＝Ｖel（０）＋Ｖds（０））に対して、有機ＥＬ素子１２を白輝度（最高階調）で発光させるのに必要な大きさの定電流が有機ＥＬ素子１２に印加されているときに得られた電圧変動量ΔＶを加えた値（Ｖcc（０）＋ΔＶ）が、最新の電源電圧Ｖccの値として設定される。なお、Ｖel（０）は、有機ＥＬ素子１１の初期の電圧Ｖelであり、Ｖds（０）は、駆動トランジスタＴｒ1の初期のドレイン−ソース間電圧Ｖdsである。
【００４１】
例えば、図９に示したように、初期において、有機ＥＬ素子１１のアノードの電圧Ｖel（＝Ｖel（０））が６Ｖ、駆動トランジスタＴｒ1のドレイン−ソース間電圧Ｖds（＝Ｖds（０））が３Ｖ、電源電圧Ｖcc (＝Ｖcc（０）)が９Ｖとなっていたとする。その後、有機ＥＬ素子１１のＩ−Ｖ特性が変化し、有機ＥＬ素子１１のアノードの電圧Ｖelが７Ｖになったとする。このとき、本実施の形態では、例えば、ΔＶが単なる予測値（例えば、２Ｖ）に設定されず、白輝度（最高階調）に対応する映像信号が一の表示画素１５に印加されたときに、その表示画素１５内の駆動トランジスタＴｒ1において、動作点が飽和領域の下端となるように設定される。例えば、有機ＥＬ素子１２を白輝度（最高階調）で発光させるのに必要な大きさの定電流が有機ＥＬ素子１２に印加されているときに得られた電圧変動量ΔＶの値（例えば、１Ｖ）がΔＶの値として設定される。その後、ΔＶがＶcc（０）に加えられ、１０Ｖが新たな電源電圧Ｖcc の値に設定される。このように、本実施の形態では、電源電圧のマージンが予測に基づいて設定された場合と比べて、電源電圧Ｖccの値を小さくすることができる。従って、消費電力を低く抑えることができる。
【００４２】
ところで、図７に示したように、有機ＥＬ素子１１のＩ−Ｖ特性が変位したときに、変位した後のＩ−Ｖ特性が図中の曲線Ｂとなるのは、例えば、パネル温度が低くなったとき（図１０参照）や、有機ＥＬ素子１１の通電時間が長くなったとき（図１１参照）である。従って、本実施の形態の駆動方法は、パネル温度が低くなったときや、有機ＥＬ素子１１の通電時間が長くなったときに、特に有効である。
【００４３】
＜第１の実施の形態の変形例＞
上記実施の形態において、調整用画素駆動回路２６は、有機ＥＬ素子１２の発光期間が複数の表示画素１５のうちの一の表示画素１５（指定画素）に含まれる有機ＥＬ素子１１の発光期間と同一となるように有機ＥＬ素子１２に定電流を断続的に印加するようになっていてもよい。例えば、図１２に示したように、調整用画素１７が第２発光素子に直列に接続されたトランジスタＴｒ5（スイッチング素子）を有しており、タイミング生成回路２１が、有機ＥＬ素子１２の発光期間が指定画素である表示画素１５に含まれる有機ＥＬ素子１１の発光期間と同一となるようにトランジスタＴｒ5をオンオフさせるようになっていてもよい。なお、トランジスタＴｒ5をオンオフ駆動する制御信号は、トランジスタＴｒ5のゲートに接続された制御線ＣＮＬ2を介して入力される。
【００４４】
＜第２の実施の形態＞
（表示装置２の概略構成）
図１３は、本発明の第２の実施の形態に係る表示装置２の概略構成を表したものである。この表示装置２は、調整用画素駆動回路２６をなくし、調整用画素１７に信号線ＤＴＬおよび電源線ＰＳＬを接続すると共に、調整用画素１７内に画素回路１６を設けた点で、上記実施の形態の表示装置１の構成と主に相違する。そこで、以下では、上記実施の形態との相違点について主に説明し、上記実施の形態との共通する点についての説明を適宜、省略するものとする。
【００４５】
（調整用画素１７）
図１４は、非表示領域１０Ｂ内の回路構成の一例を表したものである。非表示領域１０Ｂ内には、１つの画素回路１６が有機ＥＬ素子１２と対となって配置されている。なお、本実施の形態では、一対の有機ＥＬ素子１２および画素回路１６が１つの画素（調整用画素１７）を構成している。
【００４６】
画素回路１６は、上述の画素回路１３と同様の構成となっている。具体的には、画素回路１６は、駆動トランジスタＴｒ6、書き込みトランジスタＴｒ7および保持容量Ｃs2によって構成されたものであり、２Ｔｒ１Ｃの回路構成となっている。駆動トランジスタＴｒ6および書き込みトランジスタＴｒ7は、例えば、ｎチャネルＭＯＳ型のＴＦＴにより形成されている。駆動トランジスタＴｒ6または書き込みトランジスタＴｒ7は、例えば、ｐチャネルＭＯＳ型のＴＦＴであってもよい。
【００４７】
非表示領域１０Ｂにおいて、列方向には信号線ＤＴＬが１つ配置され、行方向には書込線ＷＳＬおよび電源線ＰＳＬがそれぞれ１つずつ配置されている。信号線ＤＴＬと書込線ＷＳＬとの交差点近傍には、有機ＥＬ素子１２が設けられている。信号線ＤＴＬは、信号線駆動回路２３の出力端（図示せず）と、書き込みトランジスタＴｒ7のドレイン電極（図示せず）に接続されている。書込線ＷＳＬは、書込線駆動回路２４の出力端（図示せず）と、書き込みトランジスタＴｒ7のゲート電極（図示せず）に接続されている。複数の書込線ＷＳＬのうち調整用画素１７に接続された書込線ＷＳＬは、例えば、表示画素１５には接続されていない。各電源線ＰＳＬは、電源線駆動回路２５の出力端（図示せず）と、駆動トランジスタＴｒ6のドレイン電極（図示せず）に接続されている。複数の電源線ＰＳＬのうち調整用画素１７に接続された電源線ＰＳＬは、例えば、表示画素１５には接続されていない。書き込みトランジスタＴｒ7のソース電極（図示せず）は、駆動トランジスタＴｒ6のゲート電極（図示せず）と、保持容量Ｃs2の一端に接続されている。駆動トランジスタＴｒ6のソース電極（図示せず）と保持容量Ｃs2の他端とが、有機ＥＬ素子１２のアノード電極（図示せず）に接続されている。有機ＥＬ素子１２のカソード電極（図示せず）は、例えば、グラウンド線ＧＮＤに接続されている。有機ＥＬ素子１２のアノード電極に、アノード信号線ＡＳＬの一端が接続されている。アノード信号線ＡＳＬの他端は、電源電圧調整回路２７に接続されている。
【００４８】
タイミング生成回路２１は、例えば、有機ＥＬ素子１２の発光期間が指定画素である表示画素１５に含まれる有機ＥＬ素子１１の発光期間と同一となるように、指定画素および調整用画素１７において、書き込みトランジスタＴｒ2，Ｔｒ7を同一のタイミングでオンオフさせると共に駆動トランジスタＴｒ1，Ｔｒ6を同一のタイミングでオンオフさせるようになっている。タイミング生成回路２１は、例えば、指定画素および調整用画素１７において、書き込みトランジスタＴｒ2，Ｔｒ7に同一の制御パルスを印加すると共に駆動トランジスタＴｒ1，Ｔｒ6に同一の制御パルスを印加するようになっていてもよい。
【００４９】
信号線駆動回路２３は、調整用画素１７に対応する信号線ＤＴＬに対しては、一定の電圧値の映像信号２２Ａ（固定信号）を出力するようになっている。例えば、信号線駆動回路２３は、調整用画素１７に対応する信号線ＤＴＬに対して、白輝度（最高階調）に対応する映像信号２２Ａ（固定信号）を出力するようになっている。
【００５０】
ところで、本実施の形態でも、白輝度（最高階調）に対応する映像信号が一の表示画素１５に印加されたときに、その表示画素１５内の駆動トランジスタＴｒ1において、動作点が飽和領域の下端となるように電源電圧Ｖccの値が設定される。すなわち、初期に設定した電源電圧Ｖcc（０）（＝Ｖel（０）＋Ｖds（０））に対して、有機ＥＬ素子１２を白輝度（最高階調）で発光させるのに必要な大きさの定電流が有機ＥＬ素子１２に印加されているときに得られた電圧変動量ΔＶを加えた値（Ｖcc（０）＋ΔＶ）が、最新の電源電圧Ｖccの値として設定される。これにより、電源電圧のマージンを予測に基づいて設定した場合と比べて、電源電圧Ｖccの値を小さくすることができる。従って、消費電力を低く抑えることができる。また、本実施の形態の駆動方法も、パネル温度が低くなったときや、有機ＥＬ素子１１の通電時間が長くなったときに、特に有効である。
【００５１】
＜第２の実施の形態の変形例＞
上記第２の実施の形態では、複数の書込線ＷＳＬのうち調整用画素１７に接続された書込線ＷＳＬおよび電源線ＰＳＬが表示画素１５に接続されていない場合が例示されていたが、表示画素１５に接続されていてもよい。例えば、図１５に示したように、複数の書込線ＷＳＬのうち一番最後の書込線ＷＳＬ（ｎ）および複数の電源線ＰＳＬのうち一番最後の電源線ＰＳＬ（ｎ）が、表示画素１５と、調整用画素１７とに接続されていてもよい。
【００５２】
また、上記第２の実施の形態では、複数の電源線ＰＳＬが互いに電気的に分離して設けられており、電源線駆動回路２５によって複数の電源線ＰＳＬが順次走査されている場合が例示されていたが、全ての電源線ＰＳＬに対して固定電圧が印加されるようになっていてもよい。この場合には、電源電圧調整回路２７の出力端が直接、各電源線ＰＳＬに接続されていてもよい。ただし、その場合には、電源線駆動回路２５の出力端を各電源線ＰＳＬから切り離し、画素回路１３，１６の内部構成を上で例示したものと異ならせてもよい。例えば、図１６，図１７に示したように、画素回路１３，１６が、容量素子Ｃｓ1（Ｃｓ2）と有機ＥＬ素子１１（１２）との接続点と、グラウンド線ＧＮＤとの間に、初期化用のトランジスタＴｒ8，Ｔｒ9を備えた３Ｔｒ１Ｃの回路構成となっていてもよい。このとき、トランジスタＴｒ8，Ｔｒ9のゲートには、例えば、電源線ＰＳＬ２を介して電源線駆動回路２５の出力端が接続されていてもよい。
【００５３】
＜第１および第２の実施の形態に共通する変形例＞
上記各実施の形態では、調整用画素１７は１つだけ設けられていたが、複数設けられていてもよい。また、調整用画素１７は非表示領域１０Ｂに設けられていたが、表示領域１０Ａ内に設けられていてもよい。
【００５４】
また、上記各実施の形態では、電源電圧Ｖccが調整されていたが、有機ＥＬ素子１１のカソード電圧が調整されてもよい。
【００５５】
＜適用例＞
以下、上記各実施の形態およびそれらの変形例で説明した表示装置１，２の適用例について説明する。上記実施の形態等の表示装置１，２は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００５６】
（適用例１）
図１８は、上記実施の形態等の表示装置１，２が適用されるテレビジョン装置の外観を表したものである。このテレビジョン装置は、例えば、フロントパネル３１０およびフィルターガラス３２０を含む映像表示画面部３００を有しており、この映像表示画面部３００は、上記実施の形態等の表示装置１，２により構成されている。
【００５７】
（適用例２）
図１９は、上記実施の形態等の表示装置１，２が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、上記実施の形態等の表示装置１，２により構成されている。
【００５８】
（適用例３）
図２０は、上記実施の形態等の表示装置１，２が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記実施の形態等の表示装置１，２により構成されている。
【００５９】
（適用例４）
図２１は、上記実施の形態等の表示装置１，２が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上記実施の形態等の表示装置１，２により構成されている。
【００６０】
（適用例５）
図２２は、上記実施の形態等の表示装置１，２が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記実施の形態等の表示装置１，２により構成されている。
【符号の説明】
【００６１】
１，２…表示装置、１０…表示パネル、１０Ａ…表示領域、１０Ｂ…非表示領域、１１，１１Ｒ，１１Ｇ，１１Ｂ，１２，１２Ｒ，１２Ｇ，１２Ｂ…有機ＥＬ素子、１３，１６…画素回路、１４，１４Ｒ，１４Ｇ，１４Ｂ…サブピクセル、１５…表示画素、１７…調整用画素、２０…駆動回路、２０Ａ，２２Ａ…映像信号、２０Ｂ…同期信号、２１…タイミング生成回路、２１Ａ…制御信号、２２…映像信号処理回路、２３…信号線駆動回路、２４…書込線駆動回路、２５…電源線駆動回路、２６…調整用画素駆動回路、２７…電源電圧調整回路、３０…駆動パネル、３１…ＡＤＣ、３２…記憶部、３３…比較部、３４…電圧発生部、４０…封止パネル、５１…映像信号供給ＴＡＢ、５２…走査信号供給ＴＡＢ、５３…電源電圧供給ＴＡＢ、５４…信号入出力ＴＣＰ、３００…映像表示画面部、３１０…フロントパネル、３２０…フィルターガラス、４１０…発光部、４２０，５３０，６４０…表示部、４３０…メニュースイッチ、４４０…シャッターボタン、５１０…本体、５２０…キーボード、６１０…本体部、６２０…レンズ、６３０…スタート／ストップスイッチ、７１０…上側筐体、７２０…下側筐体、７３０…連結部、７４０…ディスプレイ、７５０…サブディスプレイ、７６０…ピクチャーライト、７７０…カメラ、Ａ，Ｂ…曲線、ＡＳＬ…アノード信号線、Ｃs1，Ｃs2…保持容量、ＣＮＬ1，ＣＮＬ2…制御線、ＣＳＬ…電流信号線、ＤＴＬ…信号線、ＧＮＤ…グラウンド線、Ｉds…電流、ＰＤＬ…電源電圧伝播線、ＰＳＬ，ＰＳＬ（ｎ）…電源線、Ｔｒ1，Ｔｒ6…駆動トランジスタ、Ｔｒ2，Ｔｒ5，Ｔｒ7…書き込みトランジスタ、Ｔｒ3，Ｔｒ4…トランジスタ、Ｖcc，Ｖcc（０）…電源電圧、Ｖds，Ｖds（０）…ドレイン−ソース間電圧、Ｖel，Ｖel（０）…電圧、Ｖini…初期電圧、ＷＳＬ，ＷＳＬ（ｎ）…書込線、ΔＶ…電圧変動量。
【図１】
2011118300.tif 000003
【図２】
2011118300.tif 000004
【図３】
2011118300.tif 000005
【図４】
2011118300.tif 000006
【図５】
2011118300.tif 000007
【図６】
2011118300.tif 000008
【図７】
2011118300.tif 000009
【図８】
2011118300.tif 000010
【図９】
2011118300.tif 000011
【図１０】
2011118300.tif 000012
【図１１】
2011118300.tif 000013
【図１２】
2011118300.tif 000014
【図１３】
2011118300.tif 000015
【図１４】
2011118300.tif 000016
【図１５】
2011118300.tif 000017
【図１６】
2011118300.tif 000018
【図１７】
2011118300.tif 000019
【図１８】
2011118300.tif 000020
【図１９】
2011118300.tif 000021
【図２０】
2011118300.tif 000022
【図２１】
2011118300.tif 000023
【図２２】
2011118300.tif 000024